(57)【要約】【課題】光源の最大作動電流を自動検出するコントローラーを提供する。【解決手段】本考案のコントローラーは、主制御モジュール（Ｍ）、定電流出力Ｍと負荷検出Ｍを含み、主制御Ｍの制御信号出力端が定電流出力Ｍの制御信号入力端と電気的に接続され、定電流出力Ｍが主制御Ｍの制御信号により相応の定電流を出力し、負荷検出Ｍの信号出力端が主制御Ｍの信号入力端と電気的に接続され、定電流出力Ｍの電流出力端が負荷検出Ｍの検出入力端と電気的に接続される。本考案の有益な効果は、本考案による光源の最大作動電流を自動検出するコントローラーが、光源に接続した後、コントローラーが光源回路に定格電圧を負荷し、同時に光源回路にある電流値を検出し、この電流値により光源回路の最大出力電流を設定する。【選択図】図１
0003192402.tif 000002
【実用新案登録請求の範囲】
【請求項１】
主制御モジュールと定電流出力モジュールを含む光源の最大作動電流を自動検出するコントローラーにおいて、
負荷検出モジュールを更に含み、
前記主制御モジュールの制御信号出力端が、前記定電流出力モジュールの制御信号入力端と電気的に接続され、
前記定電流出力モジュールが、前記主制御モジュールからの制御信号により所定の定電流を出力し、
前記負荷検出モジュールの信号出力端が、前記主制御モジュールの信号入力端と電気的に接続され、
前記定電流出力モジュールの電流出力端が、前記負荷検出モジュールの検出入力端と電気的に接続される
ことを特徴とする光源の最大作動電流を自動検出するコントローラー。
【請求項２】
主制御モジュールと定電流出力モジュールを含む光源の最大作動電流を自動検出するコントローラーにおいて、
電流検出モジュールと負荷定格電圧出力モジュールを更に含み、
前記主制御モジュールの第一制御信号出力端が、前記定電流出力モジュールの制御信号入力端と電気的に接続され、
前記定電流出力モジュールの回路出力端に、検出接続端が電気的に接続され、
前記主制御モジュールの第二制御信号出力端が、前記負荷定格電圧出力モジュールの制御信号入力端と電気的に接続され、
前記負荷定格電圧出力モジュールの電圧出力端が、それぞれ前記電流検出モジュールと前記検出接続端と直列に接続される
ことを特徴とする光源の最大作動電流を自動検出するコントローラー。
【考案の詳細な説明】
【技術分野】
【０００１】
本考案は、光源検出設備の技術分野に関し、特に光源の最大作動電流を自動検出するコントローラーに関する。
【背景技術】
【０００２】
現在、電力光源は、既に通常の照明、信号指示分野等の各分野に幅広く応用される。従来の光源は、その電源の需要により、実際に普遍的に応用される定圧駆動電源と定電流駆動電源に分けられる。定圧駆動電源を採用する場合、光源の作動中で、作動時間の持続により、電子部品が発熱し、電気抵抗が大きくなったり小さくなったりし、電流が上下に変動し、不安定となり、灯具の寿命に大きく影響する。定電流駆動電源を採用する場合、電流が変動しなく、灯具の寿命と安定性に有利となる。
【考案の概要】
【考案が解決しようとする課題】
【０００３】
従来の光源には、一般的に定格電圧が標示され、光源への給電電流が明示されず、現在、一部に定電流駆動電源を、光源の駆動電源として採用し、光源の最大作動電流が不明である場合、どのような出力電流光源を給電として採用する必要があるかが分からない。駆動電流が低過ぎる場合、光源が高い効能を発揮しにくく、駆動電流が高過ぎる場合、光源の使用寿命に大きく影響し、光源が早め廃棄されることになる。
光源の最大作動電流は、定格電圧下で正常作動する光源に提供する電流であり、輝度の調節可能な光源の駆動電源の出力電流は、前記最大作動電流を超えない。光源輝度が調節する必要がある場合、光源の最大作動電流が分からないので、光源輝度調節の範囲に影響し、電流が高くなり光源を破壊することがある。従来のコントローラーは、光源の作動電圧が一定すると、電流が変化し、出光源の最大作動電流を検出しにくく、問題となる。
【課題を解決するための手段】
【０００４】
本考案は、構造が簡単で、検出速度が速く、精度が高い、光源の最大作動電流を自動検出するコントローラーを提供する。
上述した目的を達成するために、本考案は、主制御モジュールと定電流出力モジュールを含む光源の最大作動電流を自動検出するためのコントローラーにおいて、更に負荷検出モジュールを含む。主制御モジュールの制御信号出力端が定電流出力モジュールの制御信号入力端と電気的に接続され、定電流出力モジュール主制御モジュールの制御信号により相応の定電流を出力する。
前記負荷検出モジュールの信号出力端が主制御モジュールの信号入力端に電気的に接続され、前記定電流出力モジュールの電流出力端が負荷検出モジュールの検出入力端と電気的に接続されることを特徴とする。
【０００５】
１）被測定光源の電力入力端を定電流出力モジュールの電流出力端と電気的に接続する；
２）主制御モジュールが定電流出力モジュールに出力電流を次第に上昇させる要旨の制御信号を発し、同時に前記負荷検出モジュールが即時に検出された電圧信号を主制御モジュールにフィードバックする；
３）主制御モジュールにフィードバックされた電圧信号値が被測定光源の定格電圧値に達すると、主制御モジュールが定電流出力モジュールに制御信号を発することで、定電流出力モジュールが出力電流の上昇を停止し、定電流出力モジュール出力の現時点電流値が被測定光源の最大電流値となる
という以上の手順を含む、本考案は光源の最大作動電流を自動検出するコントローラーの制御方法を提供する。
また、上述した目的を達成するために、本考案によれば、主制御モジュールと定電流出力モジュールを含む光源の最大作動電流を自動検出するコントローラーにおいて、更に電流検出モジュールと負荷定格電圧出力モジュールを含み、主制御モジュールの第一制御信号出力端が定電流出力モジュールの制御信号入力端と電気的に接続され、定電流出力モジュールの回路出力端に検出接続端が電気的に接続される、
主制御モジュールの第二制御信号出力端が負荷定格電圧出力モジュールの制御信号入力端と電気的に接続され、前記負荷定格電圧出力モジュールの電圧出力端がそれぞれ前記電流検出モジュールと前記検出接続端と直列に接続され、光源の最大作動電流を自動検出する。
【０００６】
１）主制御モジュールがそれぞれ負荷定格電圧出力モジュールと定電流出力モジュールに制御信号を発することで、負荷定格電圧出力モジュールの出力電圧を零に調節させ、定電流出力モジュールの出力電流を零に調節させる；
２）被測定光源の電力入力端を検出接続端と電気的に接続する；
３）主制御モジュールが負荷定格電圧出力モジュールに出力電圧を被測定光源定格電圧に調節する要旨の制御信号を発し、同時に前記電流検出モジュールが検出された電流信号を主制御モジュールにフィードバックし、主制御モジュールがこの時の電流値を記録し、前記電流値が被測定光源の最大電流値となる
という以上の手順を含む、本考案は光源の最大作動電流を自動検出するコントローラーの制御方法を同時に提供する。
【０００７】
本考案の有益な効果は、本考案による光源の最大作動電流を自動検出するコントローラーが、光源に接続した後、コントローラーが光源回路に定格電圧を負荷し、同時に光源回路にある電流値を検出し、この電流値により光源回路の最大出力電流を設定し、検出速度が速く、精度較が高く、実用性が強いことにある。
【図面の簡単な説明】
【０００８】
【図１】本考案による光源の最大作動電流を自動検出するコントローラー実施例１の回路ブロック図。
【図２】本考案による光源の最大作動電流を自動検出するコントローラー実施例２の回路ブロック図。
【考案を実施するための形態】
【０００９】
図１には本考案による光源の最大作動電流を自動検出するコントローラーの実施例１に示す。主制御モジュール、定電流出力モジュールと負荷検出モジュールを含み、主制御モジュールの制御信号出力端が定電流出力モジュールの制御信号入力端と電気的に接続され、定電流出力モジューがルが主制御モジュールの制御信号により相応の定電流を出力し、前記負荷検出モジュールの信号出力端が主制御モジュールの信号入力端と電気的に接続され、前記定電流出力モジュールの電流出力端が負荷検出モジュールの検出入力端と電気的に接続される。
【００１０】
次に、上記のコントローラーの作用を説明する。
１）被測定光源の電力入力端を、定電流出力モジュールの電流出力端と電気的に接続する；
２）主制御モジュールが定電流出力モジュールに出力電流次第に上昇させる制御信号を発し、同時に前記負荷検出モジュールが、検出された電圧信号を主制御モジュールにフィードバックする；
３）主制御モジュールに提供したフィードバックの電圧信号値が、被測定光源の定格電圧値に達すると、主制御モジュールが定電流出力モジュールに制御信号を発することで、定電流出力モジュールが出力電流の上昇を停止し、定電流出力モジュール出力のその時の電流値が被測定光源の最大電流値となる。
【００１１】
この時、定電流出力モジュール出力の電流値が、被測定光源の最大作動電流値となり、検出手順が終了した後、コントローラーの前記定電流出力モジュールが光源に持続され給電する時、光源輝度調節時の最大給電電流が、前記大作動電流値を超えず、光源の焼損或は長時間過負荷による使用寿命の短縮を回避できる。
【００１２】
図２には本考案による光源の最大作動電流の自動検出用のコントローラーの実施例２を示す。このコントローラーは、主制御モジュール、定電流出力モジュール、電流検出モジュール、負荷定格電圧出力モジュールを含む。主制御モジュールの第一制御信号出力端が定電流出力モジュールの制御信号入力端と電気的に接続され、定電流出力モジュールの回路出力端に検出接続端が電気的に接続され、主制御モジュールの第二制御信号出力端が負荷定格電圧出力モジュールの制御信号入力端と電気的に接続され、前記負荷定格電圧出力モジュールの電圧出力端が前記電流検出モジュールと前記検出接続端と直列に接続される。
次に上記のコントローラーの作用を説明する。
１）主制御モジュールが、負荷定格電圧出力モジュールと定電流出力モジュールに制御信号を発することで、負荷定格電圧出力モジュールの出力電圧を零に調節させ、定電流出力モジュールの出力電流を零に調節する；
２）被測定光源の電力入力端を検出接続端と電気的に接続する；
３）主制御モジュールが、負荷定格電圧出力モジュールに出力電圧を被測定光源定格電圧に調節する制御信号を発し、同時に前記電流検出モジュールが検出される電流信号を主制御モジュールにフィードバックし、主制御モジュールがこの時の電流値を記録し、前記電流値が、被測定光源の最大電流値となる。
この時、定電流出力モジュール出力の電流値が、被測定光源の最大作動電流値となる。検出手順が終了した後、コントローラーの前記定電流出力モジュールが光源に持続され光源に給電し、調節光源輝度時の最大給電電流が前記作動電流値を超えず、光源の焼損或は長時間過負荷による使用寿命の短縮を回避できる。
本実施例において、コントローラーが直接的に電流値から検出し始めるので、検出速度が上がり、検出効率がより高く、実用性がより高くなる。
【００１３】
以上の説明は、本考案の一実施例に関するもので、この技術分野の当業者であれば、本発明の種々の変形例を考え得るが、それらはいずれも本発明の技術的範囲に包含される。実用新案登録請求の範囲の構成要素の後に記載した括弧内の番号は、図面の部品番号に対応し、発明の容易なる理解の為に付したものであり、発明を限定的に解釈するためのものではない。また同一番号でも明細書と実用新案登録請求の範囲の部品名は必ずしも同一ではない。これは上記した理由による。実施例の記載においては、「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。
【図１】
0003192402.tif 000003
【図２】
0003192402.tif 000004